(57)【要約】【課題】  ＩＣチップ等の接続対象物を全面的に垂直に押圧でき、押圧部材（プッシャー）のカバーからの離脱を防止し、しかも、カバーが閉じていても、接続対象物のソケット内における存否を判別できるソケットを提供する。【解決手段】  プッシャー１は、カバーの軸２を中心として回転運動する本体部１ｂと、本体部に対してスライド運動する押圧部１ａ及びこれと一体の両連結部１ｆと、本体部と押圧部の間に介在する４本の圧縮コイルばね７とから構成される。したがって、押圧部は、下方に付勢されて接続対象物を全面的に垂直に押圧する。各連結部の止め部１ｇは、各連結部の中心線上に位置し、かつ、本体部の各ガイド部１ｄ１の中心と一致するので、モーメントが発生しない。よって、各連結部が曲がって本体部から外れるという支障は、起きない。【選択図】  図１３
2007109545.tif 000002
【特許請求の範囲】
【請求項１】
接続対象物と接続するソケットにおいて、
前記ソケットは、ベースと、前記ベースに回転可能に保持されるカバーと、前記カバーに所定の範囲内で回転可能に保持される押圧部材と、コネクタとを有し、
前記押圧部材は、前記カバーに回転可能に保持される本体部と、前記接続対象物を押圧する押圧部と、前記接続対象物が前記コネクタと接続する方向に向けて前記押圧部を常時付勢するばねとを有することを特徴とするソケット。
【請求項２】
前記ベースは前記接続対象物を収容する収容部を有し、前記接続対象物が収容されていると、前記押圧部材が前記カバーから突出する突起部を有することを特徴とする請求項１記載のソケット。
【請求項３】
前記押圧部は前記本体部にスライド可能に保持され、前記押圧部と前記本体部はガイド部が溝にはまる構造を有することを特徴とする請求項１記載のソケット。
【発明の詳細な説明】
【技術分野】
【０００１】
本発明は、ソケットに関し、詳しく述べると、ＩＣチップ等の接続対象物がコンタクトに確実に接続することができるカバー付きソケットに関する。
【背景技術】
【０００２】
従来の技術として蓋式ＩＣソケットについて説明する（例えば、特許文献１参照。）。
【０００３】
図１４は、カバー３３が開いた状態の蓋式ＩＣソケット３１の概略的平面図、図１５は、カバー３３の平面図、図１６は、図１５における線Ａ−Ａによる断面図、図１７は、図１６の構造から想定される模式図を、それぞれ示す。
【０００４】
同ソケット３１は、ベース３２とカバー３３を有する。ベース３２とカバー３３は、軸３５を介して回転可能にヒンジ結合されている。
【０００５】
押圧部材３４は、ＩＣパッケージ押圧面３４ａを有し、カバー３３に取り付けられている。ベース３２の載置部３２ａ上にＩＣパッケージ（図示せず）が載置されたとき、ＩＣパッケージ押圧面３４ａがＩＣパッケージを押圧して載置部３２ａに設置されているコンタクト（図示せず）に接続させるとともにＩＣパッケージを固定する。コンタクトは、ＩＣパッケージを検査ボードの検査回路と接続させる。
【０００６】
係合爪３３ａは、カバー３３に設けられ、ベース３２の係合部３２ｂに係合する。
【０００７】
カバー３３には、その底壁３３ｂの内方側に押圧部材３４が載置される載置部３３ｃ、及び、図１５に示されるようにＡ−Ａ線方向に載置部３３ｃを挟んで一対の弾性変形可能な係合フック３３ｄが形成されている。
【０００８】
載置部３３ｃは、所定の高さを有して底壁３３ｂの内方側に突出していることが好適である。このように構成することによって、ＩＣパッケージ押圧面３４ａにおける押圧部材３４の高さｔが小さくなる。
【０００９】
係合フック３３ｄは、爪部３３ｄ１を有し、爪部３３ｄ１は、傾斜面３３ｄ１ａを有する。
【００１０】
押圧部材３４は、少なくともＩＣパッケージ押圧面３４ａが異なる種類のＩＣパッケージに対応できるように任意の高さ（厚さ）ｔを有する方形状の板体である。ＩＣパッケージ押圧面３４ａの外周で、押圧部材３４の対向する２辺の中央近傍に、カバー３３に形成されている一対の係合フック３３ｄと係合する係合段部３４ｂが設けられている。なお、係合段部３４ｂの高さｔ′は、予め定められた高さを有する。
【００１１】
このように構成されると、押圧部材３４は、カバー３２の一対の係合フック３３ｄを拡げることにより容易に取り外し可能である。また、押圧部材３４は、これを一対の係合フック３３ｄに沿って押し込むことにより容易に取り付け可能である。したがって、押圧部材３４の高さｔを変えることのみによって、異なるＩＣパッケージに対応可能となる。
【００１２】
図１７は、図１６の構造から想定される模式図である。カバー４３は、一対の爪部４３ａを有する。押圧部材４４は、中央部４４ａと連結部４４ｂとからコ字形状に構成され、両側の連結部４４ｂは、それぞれ係合部４４ｂ１を有する。カバー４３と中央部４４ａの間には、４本の圧縮コイルばね４５が介在している。各係合部４４ｂ１は、それぞれ各爪部４３ａに係合する。
【００１３】
押圧部材４４の中央部４４ａが各圧縮コイルばね４５によって下方に押圧されると、各連結部４４ｂの中心線と各係合部４４ｂ１の突出中心の間に距離Ｌが存在するため、各連結部４４ｂには、モーメントが生じる。したがって、各連結部４４ｂは、矢印に示される内側方向へ曲がる。
【００１４】
【特許文献１】特開２００２−２７０３１９号公報（第２頁第２欄第５０行〜第３頁第４欄第１８行、図１，２）
【発明の開示】
【発明が解決しようとする課題】
【００１５】
前記従来の蓋式ＩＣソケットでは、押圧部材３４が回転せず、カバー３３を閉じる際、押圧部材３４とＩＣチップが片当りを起こし、ＩＣチップが損傷する恐れがある。また、カバー３３を閉じている場合、ＩＣチップが同ソケット内に存在するか否かを判別できない。
【００１６】
図１７に示される模式構造では、押圧部材４４がカバー４３から離脱するという支障が生じる恐れがある。
【００１７】
また、コイルばねによってＩＣチップを押圧するのみの手段では、ＩＣチップの全箇所に一定の押圧力を与えることは困難である。
【００１８】
更に、押圧部材が回転するのみの手段では、諸部材の寸法誤差又は組立誤差に起因して、ＩＣチップを適正な押圧力で押圧することは困難である。
【００１９】
そこで、本発明は、前記従来の蓋式ＩＣソケット、想定される模式構造及び尋常な手段の諸欠点を改良し、ＩＣチップ等の接続対象物を全面的に垂直に押圧することができ、押圧部材のカバーからの離脱を防止し、しかも、カバーが閉じていても、接続対象物のソケット内における存否を判別することができるソケットを提供しようとするものである。
【課題を解決するための手段】
【００２０】
本発明は、前記課題を解決するため、次の手段を採用する。
【００２１】
１．接続対象物と接続するソケットにおいて、前記ソケットは、ベースと、前記ベースに回転可能に保持されるカバーと、前記カバーに所定の範囲内で回転可能に保持される押圧部材と、コネクタとを有し、前記押圧部材は、前記カバーに回転可能に保持される本体部と、前記接続対象物を押圧する押圧部と、前記接続対象物が前記コネクタと接続する方向に向けて前記押圧部を常時付勢するばねとを有するソケット。
【００２２】
２．前記ベースは前記接続対象物を収容する収容部を有し、前記接続対象物が収容されていると、前記押圧部材が前記カバーから突出する突起部を有する前記１記載のソケット。
【００２３】
３．前記押圧部は前記本体部にスライド可能に保持され、前記押圧部と前記本体部はガイド部が溝にはまる構造を有する前記１記載のソケット。
【発明の効果】
【００２４】
明細書の説明から明らかなように、本発明は、次の効果を奏する。
【００２５】
１．押圧部材（プッシャー）の本体部が回転し、押圧部がばねにより付勢されて接続対象物（ＩＣチップ等）を押圧する。したがって、押圧部は、接続対象物に片当りすることなく、接続対象物を全面的に垂直に押圧することができる。
【００２６】
２．押圧部材がカバーから突出する突起部を有するので、カバーが閉じていても、ソケット内における接続対象物の存否を視覚により判別できる。
【００２７】
３．図１３に示されるように、押圧部と一体の連結部が本体部から離脱するという支障は、生じない。
【００２８】
４．押圧部材は、回転運動する本体部と、本体部に対してスライド運動する押圧部（これと連結部は一体構成）と、本体部と押圧部の間に介在するばねとから構成される。したがって、構造が簡素で堅牢であり、また、組立分解が簡易で、更に、コストが安価である。
【発明を実施するための最良の形態】
【００２９】
本発明の一実施例のカバー付きＩＣソケットについて説明する。
【実施例１】
【００３０】
本発明の実施例１について図１〜図１３を参照して説明する。
【００３１】
図１〜図５は、カバー５が回転できるようにベース６に取り付けられ、ＩＣチップ３（図６，８〜１０参照）が挿入され、カバー５が閉められたときのカバー付きＩＣソケット（以下「ソケット」ということがある。）の平面図、左側面図、右側面図、正面図、裏面図を、それぞれ示す。
【００３２】
図６は、図１における線Ａ−Ａによる断面図であり、カバー５が閉じた状態を示す。
【００３３】
ベース６には、カバー支持板６ａが埋め込まれ、カバー支持板６ａは、２本のねじ１０によりベース６に固定されている。カバー５は、カバー支持板６ａに軸１１により回転可能に取り付けられている。軸１１には、カバー５を開く方向（図９参照）に付勢するねじりコイルばね１２が巻き付けられている。
【００３４】
カバー５の軸１１と反対側には、ラッチ８が、軸９により回転可能に取り付けられ、圧縮コイルばね１３により左回転するように付勢されている。ラッチ８の先端に設けられている係合部８ａは、ベース６の上面近傍に設けられている係合部６ａに係合している。
【００３５】
ソケットには、ＩＣチップ３が挿入され、プッシャー（押圧部材）１の４つの突起部１ｅ（図１１参照）は、カバー５の上面から若干突出している。各突起部１ｅの突出不突出によって、ＩＣチップ３の挿入不挿入が区別される。プッシャー１の全体については、図１１〜図１３を参照して後述する。
【００３６】
図７は、ＩＣチップ３が挿入されていない状態のソケットの断面図である。プッシャー１の各突起部１ｅは、カバー５の上面から突出していない。
【００３７】
図８は、ＩＣチップ３がソケットに挿入され、カバー５を閉じる際、プッシャー１の押圧部１ａがＩＣチップ３と接触したときの断面図である。
【００３８】
図９は、カバー５が軸１１を中心して右回転して開いた状態の断面図である。プッシャー１の本体部１ｂは、カバー５の軸２に所定の角度回転可能に取り付けられ、本体部１ｂの両側の当接部１ｄは、カバー５に固定されている一対のストッパ４に回転角度を規制される。ベース６の収容部６ｂには、ＩＣチップ３が挿入されている。
【００３９】
図１０は、図１における線Ｂ−Ｂによる断面図である。
【００４０】
図１１は、プッシャー１の全体を示す斜視図（ただし、圧縮コイルばねを除く。）であり、図１２は、プッシャー１を折半した断面斜視図（ただし、圧縮コイルばねを除く。）であり、図１３は、プッシャー１の本体部１ｂと、押圧部１ａ及び両側の連結部１ｆの関係を示す断面図である。
【００４１】
プッシャー１は、回転運動する本体部１ｂと、本体部１ｂに対してスライド運動する押圧部１ａ及び両連結部１ｆと、本体部１ｂと押圧部１ａの間に介在する圧縮コイルばね７とから構成される。
【００４２】
本体部１ｂの上部中央には、カバー５の軸２にはめるための穴１ｂ１が設けられている。また、本体部１ｂの上部両側にカバー５の一対のストッパ４にそれぞれ当接する当接部１ｄが設けられ、更に、各当接部１ｄの中央から突出するガイド部１ｄ１が設けられている。
【００４３】
押圧部１ａの４箇所には、４本の圧縮コイルばね７の一端をそれぞれ挿入するための穴１ａ１が開けられている。押圧部１ａの両側に直交する各連結部１ｆには、溝１ｆ１が設けられている。各溝１ｆ１は、それぞれ本体部１ｂの各ガイド部１ｄ１にはめられる。
【００４４】
図１３に示されるように、プッシャー１において、本体部１ｂと押圧部１ａの間に４本の圧縮コイルばね７が挿入されているので、押圧部１ａは下方に押圧される。すると、各連結部１ｆの止め部１ｇは、本体部１ｂの各ガイド部１ｄ１に当接する。
【００４５】
したがって、押圧部１ａは、ＩＣチップ３を押圧するので、ＩＣチップ３の各接点は、ベース６の底部でコネクタ１６の各コンタクトとそれぞれ接続する。また、各圧縮コイルばね７の反力により生じる力を受ける各止め部１ｇが、各連結部１ｆの中心線上に位置し、かつ、本体部１ｂの各ガイド部１ｄ１の中心と一致するので、モーメントが発生しない。よって、各連結部１ｆが曲がって本体部１ｂから外れるという支障は、起きない。
【図面の簡単な説明】
【００４６】
【図１】本発明の実施例１のカバー付きＩＣソケットの平面図である。
【図２】同ソケットの左側面図である。
【図３】同ソケットの右側面図である。
【図４】同ソケットの正面図である。
【図５】同ソケットの裏面図である。
【図６】図１における線Ａ−Ａによる断面図である。
【図７】図１における線Ａ−Ａによる断面図である。ただし、ＩＣチップは、同ソケットに挿入されていない。
【図８】同カバーが閉じる際、プッシャーの押圧部が同ＩＣチップと接触したときの同ソケットの断面図である。
【図９】同カバーが開いたときの同ソケットの断面図である。
【図１０】図１における線Ｂ−Ｂによる断面図である。
【図１１】同プッシャーの斜視図である。ただし、圧縮コイルばねは、除かれている。
【図１２】同プッシャーを折半した断面斜視図である。ただし、同圧縮コイルばねは、除かれている。
【図１３】同プッシャーの断面図である。
【図１４】従来の蓋式ＩＣソケットのカバーが開いた状態の概略的平面図である。
【図１５】同カバーの平面図である。
【図１６】図１５における線Ａ−Ａによる断面図である。
【図１７】図１６の構造から想定される模式図である。
【符号の説明】
【００４７】
１  プッシャー（押圧部材）
１ａ  押圧部
１ａ１  穴
１ｂ  本体部
１ｂ１  穴
１ｄ  当接部
１ｄ１  ガイド部
１ｅ  突起部
１ｆ  連結部
１ｆ１  溝
１ｇ  止め部
２  軸
３  ＩＣチップ
４  ストッパ
５  カバー
６  ベース
６ａ  カバー支持板
６ｂ  収容部
７  圧縮コイルばね
８  ラッチ
８ａ  係合部
９  軸
１０  ねじ
１１  軸
１２  ねじりコイルばね
１３  圧縮コイルばね
１６  コネクタ
【図１】
2007109545.tif 000003
【図２】
2007109545.tif 000004
【図３】
2007109545.tif 000005
【図４】
2007109545.tif 000006
【図５】
2007109545.tif 000007
【図６】
2007109545.tif 000008
【図７】
2007109545.tif 000009
【図８】
2007109545.tif 000010
【図９】
2007109545.tif 000011
【図１０】
2007109545.tif 000012
【図１１】
2007109545.tif 000013
【図１２】
2007109545.tif 000014
【図１３】
2007109545.tif 000015
【図１４】
2007109545.tif 000016
【図１５】
2007109545.tif 000017
【図１６】
2007109545.tif 000018
【図１７】
2007109545.tif 000019